(57)【要約】【課題】運転時において、天井面や壁面に騒音や振動を伝搬することを防ぐことができることを目的とする。【解決手段】本体１は、フランジを有せず、前記ユニットバスの天井開口４の周辺の寸法より短くしたという構成にしたことにより、本体１はフランジを有していないため、天井開口４を小さくでき、浴室の天井５と空気調和機を取り付けた吊り枠３とが接触しないとなるので、運転時において、天井面や壁面に騒音や振動を伝搬することを防ぐことができる天井埋込型浴室空気調和機を得られる。【選択図】図１
2012132652.tif 000002
【特許請求の範囲】
【請求項１】
ユニットバスの天井裏の躯体に固定される吊りボルトに、上下に調整可能に取り付けられた吊り枠と、前記吊り枠内に下側から挿入され、前記吊り枠と固定される箱型の本体とからなり、前記本体はフランジを有せず、前記本体の周辺寸法は、前記ユニットバスの天井開口の周辺寸法より短くしたことを特徴とする天井埋込型浴室空気調和機。
【請求項２】
前記本体と前記吊り枠の接合に、ねじ止めを行わないことを特徴とする請求項１に記載の天井埋込型浴室空気調和機。
【請求項３】
前記吊り枠に、２個ないし４個の固定金具を取り付け、前記本体が前記吊り枠内に下側から挿入され、前記本体に前記固定金具が嵌まって固定することを特徴とする請求項２に記載の天井埋込型浴室空気調和機。
【請求項４】
前記固定金具が、落下防止機構を兼ねており、前記本体を天井裏まで持ち上げた後、手を離しても落下しないことを特徴とする請求項３に記載の天井埋込型浴室空気調和機。
【請求項５】
前記固定金具を、前記吊り枠にねじで固定し、前記ねじを外すことで前記固定金具および前記本体を降ろすことが可能であることを特徴とする請求項３に記載の天井埋込型浴室空気調和機。
【請求項６】
前記固定金具で前記本体を天井裏に固定した後、補強金具を取り付けて補強することを特徴とする請求項３に記載の天井埋込型浴室空気調和機。
【請求項７】
前記補強金具は、前記本体の下側から前記吊り枠に引っ掛けた後、前記吊り枠と並行にスライド移動させることで取り付けることを特徴とする請求項６に記載の天井埋込型浴室空気調和機。
【請求項８】
前記補強金具は、本体の下側から前記吊り枠に引っ掛けた後、前記本体の下側から固定することを特徴とする請求項３に記載の天井埋込型浴室空気調和機。
【請求項９】
前記本体の下面に化粧パネルを設け、前記化粧パネルが前記本体と接していないことを特徴とする請求項１または２に記載の天井埋込型浴室空気調和機。
【請求項１０】
前記本体を、天井裏に設置した後に化粧パネル施工枠を天井に固定し、前記化粧パネル施工枠に前記化粧パネルを取り付けることを特徴とする請求項９に記載の天井埋込型浴室空気調和機。
【発明の詳細な説明】
【技術分野】
【０００１】
本発明は、天井埋込型浴室空気調和機に関するものである。
【背景技術】
【０００２】
従来、この種の天井埋込型浴室空気調和機は、本体フランジを天井開口の下面に当接させたものが知られている（例えば、特許文献１参照）。
【０００３】
以下、その天井埋込型浴室空気調和機について、図９を参照しながら説明する。
【０００４】
図９に示すように、本体１０１は天井下面と当接する位置にフランジ１０２を持ち、フランジ上面にシール性を備えることにより浴室からの湿気漏れを防止している。また、化粧パネル１０３は前記フランジ１０２を覆う大きさを持ち、前記本体１０１に当接して固定されている。
【先行技術文献】
【特許文献】
【０００５】
【特許文献１】特開２００４−６９２４０号公報
【発明の概要】
【発明が解決しようとする課題】
【０００６】
このような従来の天井埋込型浴室空気調和機においては、運転時に本体から発する騒音や振動が天井面および壁面を伝搬し、躯体との共鳴や共振が起こり、浴室内やその他の室内に騒音や振動が発生する、という課題を有していた。
【０００７】
そこで本発明は、上記従来の課題を解決するものであり、運転時において、天井面や壁面に騒音や振動を伝搬することを防ぐことができる換気装置を提供することを目的とする。
【課題を解決するための手段】
【０００８】
そして、この目的を達成するために、本発明は、ユニットバスの天井裏の躯体に固定される吊りボルトに、上下に調整可能に取り付けられた吊り枠と、前記吊り枠内に下側から挿入され、前記吊り枠とが固定される箱型の本体とからなり、前記本体の周辺寸法は、フランジを有せず、前記ユニットバスの天井開口の周辺の寸法より短くしたこととしたものであり、これにより所期の目的を達成するものである。
【発明の効果】
【０００９】
本発明によれば、ユニットバスの天井裏の躯体に固定される吊りボルトに、上下に調整可能に取り付けられた吊り枠と、前記吊り枠内に下側から挿入され、前記吊り枠とが固定される箱型の本体とからなり、前記本体は、フランジを有せず、前記ユニットバスの天井開口の周辺の寸法より短くした、という構成にしたことにより、本体はフランジを有していないため、天井開口を小さくでき、浴室の天井と空気調和機を取り付けた吊り枠とが接触しないこととなるので、運転時において、天井面や壁面に騒音や振動を伝搬することを防ぐことができる、という効果を得ることができる。
【図面の簡単な説明】
【００１０】
【図１】本発明の実施の形態１の天井埋込型浴室空気調和機の天井裏施工状態を示す側面図
【図２】同天井埋込型浴室空気調和機の吊り枠の施工状態および固定金具の取り付け状態を示す構成図
【図３】同天井埋込型浴室空気調和機の固定金具との嵌め合い状態を示す側面図
【図４】同天井埋込型浴室空気調和機の補強金具取り付け前の状態を示す斜視図
【図５】同天井埋込型浴室空気調和機の補強金具取り付け部を示す詳細図
【図６】同天井埋込型浴室空気調和機の化粧パネルの施工状態を示す側面図
【図７】同天井埋込型浴室空気調和機の化粧パネル枠および化粧パネルの施工状態を示す側面図
【図８】本発明の実施の形態２の天井埋込型浴室空気調和機の天井裏施工状態を示す側面図
【図９】従来の天井埋込型浴室空気調和機の天井裏施工状態を示す側面図
【図１０】同別形態の天井埋込型浴室空気調和機の天井裏施工状態を示す側面図
【発明を実施するための形態】
【００１１】
本発明の請求項１記載の天井埋込型浴室空気調和機は、ユニットバスの天井裏の躯体に固定される吊りボルトに、上下に調整可能に取り付けられた吊り枠と、前記吊り枠内に下側から挿入され、前記吊り枠とが固定される箱型の本体とからなり、前記本体の周辺寸法は、フランジを有せず、前記ユニットバスの天井開口の周辺の寸法より短くした、という構成を有する。これにより、本体の周辺寸法よりユニットバスの開口寸法のほうが大きいため、浴室の天井と空気調和機を取り付けた吊り枠とが接触しない構造が得られ、フランジが不要な分、天井開口を小さく出来るので、運転時において、天井面や壁面に騒音や振動を伝搬することを防ぐことができる、という効果を奏する。
【００１２】
また、本体と吊り枠の接合に、ねじ止めを行わないこと、という構成にしてもよい。これにより、施工者が本体を吊り上げて固定する際に、煩わしいねじ止め作業を省略できるので、施工性の向上した浴室空気調和機を提供できるという効果を奏する。
【００１３】
また、吊り枠に、２個ないし４個の固定金具を取り付け、前記本体が吊り枠内に下側から挿入され、前記本体に前記固定金具が嵌まって固定する、という構成にしてもよい。これにより、施工者は本体を吊り枠内に挿入するだけで、固定することが可能になるとなるので、よりいっそう施工性の向上した浴室空気調和機が提供できるという効果を奏する。
【００１４】
また、固定金具が、落下防止機構を兼ねており、本体を天井裏まで持ち上げた後、手を離しても落下しないという構成にしてもよい。これにより、固定金具に嵌めることによって、本体を天井裏で固定することとなるので、天井裏に持ち上げた後は手が離せるので、施工性を向上することができるという効果を奏する。
【００１５】
また、固定金具を、吊り枠にねじで固定し、前記ねじを外すことで前記固定金具および本体を降ろすことが可能であるという構成にしてもよい。これにより、固定金具を固定するねじをはずし、本体の仮固定を解除できることとなるので、必要なとき、特に修理や廃棄時は簡単に降ろすことができるという効果を奏する。
【００１６】
また、固定金具で本体を天井裏に固定した後、補強金具を取り付けて補強するという構成にしてもよい。これにより、本体と吊り枠の固定を強化することとなるので、運転時に本体が振動して吊り枠との間で軋み音をも発生させる現象を防止できるという効果を奏する。
【００１７】
また、補強金具は、空気調和機本体の下側から吊り枠に引っ掛けた後、前記吊り枠と並行にスライド移動させることで補強するという構成にしてもよい。これにより、補強金具が確実に取り付けられることとなるので、運転時、本体が振動して吊り枠との間で軋み音を発生させる現象を防止できるという効果を奏する。
【００１８】
また、補強金具は、本体の下側から前記吊り枠に引っ掛けた後、前記本体の下側から固定するという構成にしてもよい。これにより、吊り枠に横からねじ固定しないため、天井裏から作業することなく、本体の下側から作業することとなるので、天井の厚みや障害物を気にする必要がなく、施工性を向上することができるという効果を奏する。
【００１９】
また、本体の下面に化粧パネルを設け、前記本体と接していないという構成にしてもよい。これにより、本体と化粧パネルが接しなく、本体の騒音や振動が天井面に設置される化粧パネルに伝搬することを軽減することとなるので、本体の騒音や振動が天井面に設置される化粧パネルに伝搬することを軽減するという効果を奏する。
【００２０】
また、本体を、浴室天井の裏に設置した後に、化粧パネル施工枠を天井に固定し、前記化粧パネル施工枠に前記化粧パネルを取り付けるという構成にしてもよい。これにより、天井に固定した化粧パネル施工枠に、化粧パネルを固定するとなるので、浴室の空気が天井裏に漏れることを防ぐと同時に、化粧パネルの位置決めを簡単に行うことができるという効果を奏する。
【００２１】
以下、本発明の実施の形態について図面を参照しながら説明する。
【００２２】
（実施の形態１）
図１は、天井裏に施工された天井埋込型浴室空気調和機の本体１の側面図である。図１において、ユニットバスの天井５裏の躯体１５に固定される吊りボルト２に、上下に調整可能に取り付けられた逆Ｌ字上を両端に設けた吊り枠３と、この吊り枠３の逆Ｌ字上を両端内設けた内側に下側から本体１を挿入し固定し、この本体１の周辺寸法は前記ユニットバスの天井開口４より短くなっている。
【００２３】
本体１の底面にはフランジが無いため、本体１を下方から天井５にねじ固定することは出来ないが、図２に示すように、吊り枠３の下方から固定金具６をねじ１６で挿入し固定し、図３に示すように、本体１を天井５裏に吊り上げた際に、本体１の両側面に設けた固定金具受け部７に固定金具６を嵌める構成とする。
【００２４】
なお、固定金具受け部７は固定金具６を嵌めることができれば、どのような形状でも良い。
【００２５】
このような構成にすれば、本体１にフランジが無くても本体１を天井裏で固定することができる。
【００２６】
また、固定金具６は落下防止機構を兼ねている（後に説明）。このような構成によれば、一旦本体１を天井裏に吊り上げた後は、本体１から手を離しても固定金具６が本体１の固定金具受け部７に引っ掛かるため本体１が落下しない。そこで、本体１の修理や廃棄の際は、固定金具６を吊り枠３に固定しているねじを下面から簡単に取りはずすことができるので、固定金具６と本体１を取り外す構成としている。
【００２７】
図４に示すように、固定金具６で本体１を固定した後、補強金具８を吊り枠３と本体１とに渡って下方から取り付けねじで固定する構成である。このような構成によれば、本体１と吊り枠３の固定がより強固になるため、本体１が振動した際に吊り枠３との間で軋み音をも発生するのを防ぐ効果がある。
【００２８】
また、補強金具８は本体１を天井裏に吊り上げた後、本体１の下側から吊り枠３に引っ掛け、図５に示すように吊り枠３に吊り枠３と本体１を固定するための補強金具取り付け部９を設け、補強金具取り付け部９に対して平行、すなわち、本体１の底面に平行にスライドさせる構成とする。
【００２９】
このような構成によれば、本体１を天井裏に固定した後、浴室内から補強金具８を取り付けることにより、施工性を低下させずに、つまり、本体１を支えていなくても本体１と吊り枠３の固定を強化することができる。
【００３０】
また、補強金具８は吊り枠３の補強金具取り付け部９に対して平行にスライドさせた後、本体１の下方からねじ止めする構成とする。
【００３１】
このような構成によれば、浴室内から補強金具８を取り付けることにより、天井の厚みや天井裏の障害物に影響を受けずに施工が可能となる効果がある。
【００３２】
図６に示すように、本体１の下面に化粧パネル１０を設け、この化粧パネル１０が本体１と接していない構成とする。
【００３３】
このような構成によれば、本体１と化粧パネル１０が接しないため、本体１の騒音や振動が天井５面に設置される化粧パネル１０に伝搬することを軽減する効果がある。
【００３４】
なお、実施の形態１において、本体１と化粧パネル１０の間にシール材１１を貼り付け、天井裏への湿気漏れ防止を図っている。
【００３５】
また、図７に示すように、本体１を天井５裏に設置した後に、化粧パネル施工枠１２を天井５に固定し、この化粧パネル施工枠１２に化粧パネル１０を取り付ける構成とした。
【００３６】
なお、化粧パネル施工枠１２とは、同化粧パネル施工枠１２の開口が浴室の天井開口４の周囲寸法より短く、例えば金属でできたものである。
【００３７】
このような構成によれば、天井に固定した化粧パネル施工枠１２に、化粧パネル１０を固定するため、浴室の空気が天井裏に漏れにくくするのと同時に、化粧パネル１０の位置決めを簡単に行うことができる効果がある。
【００３８】
なお、実施の形態１において、化粧パネル施工枠１２と天井５面が当接する面および化粧パネル施工枠１２と化粧パネル１０が当接する面にシール材１３−ａおよび１３―ｂを貼り付け、天井裏への湿気漏れ防止を図っている。
【００３９】
なお、実施の形態１では、固定金具６を２個取り付ける構成としているが、固定金具６を４個取り付ける構成（図示せず）としてもその作用効果に差異は生じない。
【００４０】
（実施の形態２）
図８において、図１および図２と同様の構成要素については同一の符号を付し、その詳細な説明は省略する。
【００４１】
実施の形態１では、吊りボルト２で吊り枠３を固定する構成としているが、図８に示すように、吊りボルト２に防振金具１４を取り付け、吊り枠に固定する。
【００４２】
なお、防振金具１４とは、筒状の金属で上下の吊りボルトが取り付く箇所に防振ゴムを設けたものである。
【００４３】
上記構成において、吊りボルトを介して天井裏の躯体に伝搬する騒音および振動を防振ゴムにより吸収し軽減することができる。
【産業上の利用可能性】
【００４４】
本発明にかかる天井埋込型浴室空気調和機は、運転時において、天井面や壁面に騒音や振動を伝搬することを防ぐことで、浴室天井面に設置して使用される製品に対する騒音及び振動対策等として有用である。
【符号の説明】
【００４５】
１    本体
２    吊りボルト
３    吊り枠
４    天井開口
５    天井
６    固定金具
７    固定金具受け部
８    補強金具
９    補強金具取り付け部
１０  化粧パネル
１１  シール材
１２  化粧パネル施工枠
１３  シール材
１４  防振金具
１５  躯体
１６  ねじ
【図１】
2012132652.tif 000003
【図２】
2012132652.tif 000004
【図３】
2012132652.tif 000005
【図４】
2012132652.tif 000006
【図５】
2012132652.tif 000007
【図６】
2012132652.tif 000008
【図７】
2012132652.tif 000009
【図８】
2012132652.tif 000010
【図９】
2012132652.tif 000011
【図１０】
2012132652.tif 000012